(57)【要約】 【課題】  ウェアラブルカメラシステムのユーザーの警備区域である巡回エリアにおいて計画された頻度で録画情報を取得し、録画もれを生じにくくすることである。【解決手段】本発明のウェアラブルカメラシステムは、ユーザが装着可能なウェアラブルカメラとサーバとを備えるウェアラブルカメラシステムであって、ウェアラブルカメラは、ユーザーの移動ルートと、録画オンオフ情報、移動時刻をサーバへ送信し、サーバは、予め巡回エリアにおける基準となる録画頻度を巡回エリアごとに記憶し、ウェアラブルカメラから受信した位置情報、録画オンオフ情報、録画時刻、と照合し基準録画頻度に対し録画頻度が不足しているエリアを録画頻度不足エリアとして算出しウェアラブルカメラに通知し、ウェアラブルカメラは録画頻度不足エリアをユーザーに通知する、ウェアラブルカメラシステムを提供する。【選択図】  図５
2019149606.tif 000002
【特許請求の範囲】
【請求項１】
本発明のウェアラブルカメラシステムは、
ユーザが装着可能なウェアラブルカメラとサーバとを備えるウェアラブルカメラシステムであって、
前記ウェアラブルカメラは、
ユーザーの移動ルートと、録画オンオフ情報、移動時刻を前記サーバへ送信し、
前記サーバは、
予め巡回エリアにおける基準となる録画頻度を巡回エリアごとに記憶し、前記ウェアラブルカメラから受信した移動ルート、録画オンオフ情報、録画時刻、と照合し基準録画頻度に対し録画頻度が不足しているエリアを録画頻度不足エリアとして算出し前記ウェアラブルカメラに通知し、
前記ウェアラブルカメラは前記録画頻度不足エリアをユーザーに通知する、ウェアラブルカメラシステムを提供する。
【請求項２】
請求項１に記載のウェアラブルカメラシステムであって、
前記録画頻度不足エリアの判定基準が前回録画からの最大経過時間であることを特徴とする、ウェアラブルカメラシステム。
【請求項３】
請求項１に記載のウェアラブルカメラシステムであって、
前記録画頻度不足エリアの判定基準が一定期間内の録画回数であることを特徴とする、ウェアラブルカメラシステム。
【発明の詳細な説明】
【技術分野】
【０００１】
本発明は、ウェアラブルカメラシステム及び録画制御方法に関する。例えば、人の体又は着用した衣服等に装着可能な撮像装置を有するウェアラブルカメラシステム等に関する。
【背景技術】
【０００２】
近年、例えば警察官や警備員（ユーザー）の業務中に発生したイベントを画像もしくは動画として記録するウェアラブルカメラの導入が検討されるようになってきた。ウェアラブルカメラで取得した画像は事件、事故（以下、重要なシーンという）の証拠などとして用いられる。
【０００３】
例えば特許文献１には、ウェアラブルカメラはサーバーと連携し、ウェアラブルカメラで撮像した画像を、予めサーバーに蓄積された認証用データと照合することで事件検証のための重要なシーンを検出してユーザーに通知する技術が公開されている。
【先行技術文献】
【特許文献】
【０００４】
【特許文献１】特許第６１１５８７４号
【発明の概要】
【発明が解決しようとする課題】
【０００５】
しかしながら、この方法は撮像された画像について重要なシーンを見逃さないようにする技術であり、ユーザーの警備区域における録画頻度について考慮されていない。つまり、ユーザーの警備区域である巡回エリアにおいて計画された頻度で録画情報が取得されなければ、重要なシーンに遭遇する機会が減る場合があり、結果として録画もれを生じる可能性が高くなる。
【０００６】
また、パトロール中に常に録画記録状態であれば、ユーザーが重要なシーンに遭遇しやすくなるが、ウェアラブルカメラは小型であることからメモリ容量的にもバッテリー容量的にも録画時間が限られてしまう懸念がある。
【０００７】
本発明の課題は、ウェアラブルカメラシステムのユーザーの警備区域である巡回エリアにおいて計画された頻度で録画情報を取得し、録画もれを生じにくくすることである。また、ウェアラブルカメラのメモリ容量とバッテリー容量を節約することである。
【課題を解決するための手段】
【０００８】
本発明のウェアラブルカメラシステムは、
ユーザが装着可能なウェアラブルカメラとサーバとを備えるウェアラブルカメラシステムであって、
前記ウェアラブルカメラは、
ユーザーの移動ルートと、録画オンオフ情報、移動時刻を前記サーバへ送信し、
前記サーバは、
予め巡回エリアにおける基準となる録画頻度を巡回エリアごとに記憶し、前記ウェアラブルカメラから受信した位置情報、録画オンオフ情報、録画時刻、と照合し基準録画頻度に対し録画頻度が不足しているエリアを録画頻度不足エリアとして算出し前記ウェアラブルカメラに通知し、
前記ウェアラブルカメラは前記録画頻度不足エリアをユーザーに通知する、ウェアラブルカメラシステムを提供する。
【発明の効果】
【０００９】
本発明によれば、ユーザーの警備区域である巡回エリアにおいて予め設定された基準となる録画頻度に対し、録画頻度が不足したエリアが録画頻度不足エリアとしてユーザーに通知され、ユーザーは録画頻度不足エリアを録画することで録画頻度不足エリアを解消することができる。その結果として重要なシーンに遭遇する機会を維持し、結果として録画もれを防ぐことができる。
【００１０】
さらに、録画頻度が十分なエリアにおいては録画をＯＦＦすることでメモリ容量とバッテリー容量を節約することができる。
【図面の簡単な説明】
【００１１】
【図１】本実施形態のウェアラブルカメラシステムの概要の一例を示す説明図
【図２】本実施形態のウェアラブルカメラの筐体の表側の面の一例を示す正面図
【図３】本実施形態のウェアラブルカメラの筐体の裏側の面の一例を示す背面図
【図４】本実施形態のウェアラブルカメラの内部構成の一例を示すブロック図
【図５】本実施形態のウェアラブルカメラシステムの動作概要の一例を示す図
【図６】本実施形態のサーバーに記憶されている巡回計画の情報を示した図
【発明を実施するための形態】
【００１２】
以下、本発明を適用したウェアラブルカメラを用いた好ましい実施形態について説明する。
【００１３】
図１は、本実施形態のウェアラブルカメラシステムの概要を示す説明図である。ウェアラブルカメラシステム１は、警察官の制服に装着されたウェアラブルカメラ２、警察署３内に設置された署内のシステム７を含む構成である。
【００１４】
ウェアラブルカメラ２は、警察官８の制服に装着され、警察官の前方を被写体として撮像し、撮像された映像データを記憶する。
【００１５】
警察官は、ウェアラブルカメラを装着した状態であらかじめ計画された巡回エリアを巡回し、ウェアラブルカメラ２にて映像データを取得する。
【００１６】
そして、ウェアラブルカメラ２は警察官の位置情報を逐次取得することで得られる警察官の移動ルート、及び移動地点での時刻（移動時刻）と録画ＯＮ／ＯＦＦ情報を記憶し、移動ルートと移動時刻、録画ＯＮ／ＯＦＦ情報（以下、まとめて録画位置情報という）をサーバー４に送信する。
【００１７】
また、警察官８はウェアラブルカメラ２と通信可能なスマートフォン９を所持する。スマートフォン９は電話機能及び無線通信機能を有し、例えば警察署からの連絡、警察署への連絡、及び巡回する警察官同士の連絡時に使用される。
【００１８】
ウェアラブルカメラ２は、直接に、あるいはスマートフォン９を介してサーバー４と接続されることで、録画位置情報をサーバー４に送信することが可能である。
【００１９】
そして、ウェアラブルカメラ２は、集合充電台５に取り付けることで録画位置情報と映像データの両方をサーバ４に送信することが可能である。
【００２０】
署内システム７は、警察署３の内部に設置され、サーバ４、クライアントＰＣ６、無線ＬＡＮアクセスポイント１０、集合充電台５、を含む構成である。
【００２１】
サーバ４は、ウェアラブルカメラ２から送信された録画位置情報から、録画頻度が不足しているエリアを検出して管理する機能を有する。また、サーバーは、計画された巡回エリアのルートと、時間帯ごとに予定している巡回中の録画頻度を記憶したデータベースを有する。計画された録画頻度（以後、基準録画頻度という）はユーザーがあらかじめデータベースに登録する。
【００２２】
基準録画頻度は、警察官の巡回（パトロールを含む）の計画に沿って作成される。基準録画頻度は警察官が管轄するエリアについて作成され、このうち、事件が発生する可能性が高いエリア、もしくは巡回の必要性が高い状況においては予定している基準録画頻度が高く設定されることが好ましい。
【００２３】
例えば、基準録画頻度は過去の事件・事故の情報などを元に、事件・事故多発エリアは基準録画頻度が高く設定される。あるいは、学校付近の通学路を含むエリアにおいて通学時間帯は、高く設定される。
【００２４】
さらには、繁華街のエリアの夜の時間帯など警戒の度合いが大きいと考えられる場合には基準録画頻度が高く設定される。
【００２５】
サーバ４はウェアラブルカメラ２から送信された録画位置情報と基準録画頻度マップを照合することで基準録画頻度に対して、録画頻度が不足している録画頻度不足エリアを検出する。
【００２６】
クライアントＰＣ６はサーバが出力した録画頻度不足エリアの検出結果をディスプレイデバイスに表示可能なブラウザを有する。さらに、クライアントＰＣ６はウェアラブルカメラ２が撮像した映像を再生することのできる機能を有する。
【００２７】
なお、クライアントＰＣ６は警察署３の内部に設置されるだけでなく、警察署３の外部に設置されたものでもよい。
【００２８】
無線ＬＡＮアクセスポイント１０は、ウェアラブルカメラ２と無線接続しウェアラブル
カメラ２に記録された録画位置情報サーバ４に転送する。
【００２９】
例えば、警察官２が複数の巡回チームに分かれてそれぞれが異なるエリアをパトロールする際、事件・事故に遭遇する、もしくは職務質問などのイベントを発生した巡回チームは、そのイベントの対応のため巡回を一時停止せざるを得ない。このような場合、ウェアラブルカメラ１は、録画位置情報をサーバーに送信し、サーバーはウェアラブルカメラ１の録画位置情報を基準録画頻度と照合することで、ウェアラブルカメラ１の録画頻度が基準録画頻度を下回る場合には一時停止した巡回ルートの残りのルートが録画情報不足エリアとして、全チームのウェアラブルカメラに自動的に通知される。
【００３０】
録画情報不足エリアが通知された巡回チームのうち、順調に持ち分のパトロールを終了した巡回チームが、追加で録画情報不足エリアのパトロールを行うことにより、録画情報不足を効率的に解消することができる。
【００３１】
それにより、巡回時の録画情報を空間的、時間的に計画された頻度で取得することができ、その結果として重要なシーンに遭遇する機会を維持し、結果として録画もれを防ぐことができる。なお、追加の巡回を行うチームはスマートフォン９を用いて追加で巡回を行うことを他の巡回チームに共有することで、巡回エリアの重複を防ぐことができる。
【００３２】
図２は、本実施形態のウェアラブルカメラ２の筐体２０の表側の面の一例を示す正面図である。筐体２０の表側の面には、録画ボタンＢＴ１、静止画撮影ボタンＢＴ２、再生ボタンＢＴ３、及び撮像レンズ２１ｚが配置される。
【００３３】
録画スイッチＢＴ１は、短押しされることで撮像部４１（図４参照）に録画の開始を指示し、長押し（例えば２秒間の押し状態が継続された操作）されることで録画の停止を指示する。静止画撮影ボタンＢＴ２は、押下される度に、撮像部４１（図４参照）に静止画の撮影と記録を指示する。撮像レンズ２１ｚは、ウェアラブルカメラ２により撮像される被写体の光学像を撮像部４１（図４参照）の撮像面に結像させる。
【００３４】
筐体２０の側面には、通信モードスイッチＳＷ４及び電源スイッチＳＷ５が配置される。筐体２０の上面には、３個のＬＥＤ２２、２３、２４が配置される。ＬＥＤ２２は、ウェアラブルカメラ２の電源オン／オフの状態及びバッテリーの状態を表示する。ＬＥＤ２３は、ウェアラブルカメラ２の撮像動作の状態を表示する。ＬＥＤ２４は、ウェアラブルカメラ１０の通信モードの状態を表示する。
【００３５】
図３は、本実施形態のウェアラブルカメラ２の筐体２０の裏側の面の一例を示す背面図である。筐体２０の裏側の面には、ＬＣＤ（液晶ディスプレイ）２５が配置される。
【００３６】
ＬＣＤ２５の画面には、ユーザーが巡回予定のエリア、及び、サーバー４から受信した録画情報不足エリアがマップにて表示される。ユーザーはＬＣＤ２５を確認することで、録画情報が不足しているエリアを確認することができ、ユーザー自身が巡回を予定しているエリアの他に、録画情報が不足しているエリアを巡回して撮像することで、あらかじめ定められた頻度での録画情報をスムーズに取得することができる。
【００３７】
図４は、本実施形態のウェアラブルカメラ２の内部構成の一例を示すブロック図である。ウェアラブルカメラ２は、撮像部２１と、ＧＰＩＯ３１（Ｇｅｎｅｒａｌ  Ｐｕｒｐｏｓｅ  Ｉｎｐｕｔ／Ｏｕｔｐｕｔ）と、ＳＰＩ（Ｓｅｒｅａｌ  Ｐｅｒｉｐｈｅｒａｌ  Ｉｎｔｅｒｆａｃｅ）３２と、Ｉ２Ｓ（Ｉｎｔｅｒ−ＩＣ  Ｓｏｕｎｄ）３３と、ＲＡＭ（Ｒａｎｄｏｍ  Ａｃｃｅｓｓ  Ｍｅｍｏｒｙ）３５と、ＲＯＭ（Ｒｅａｄ  Ｏｎｌｙ  Ｍｅｍｏｒｙ）３６と、記憶部３７と、を備える。ウェアラブルカメラ２は、時刻取得部４８と、ＧＰＳ（Ｇｌｏｂａｌ  Ｐｏｓｉｔｉｏｎｉｎｇ  Ｓｙｓｔｅｍ）受信部４９と、を備える。ウェアラブルカメラ２は、ＭＣＵ（Ｍｉｃｒｏ  Ｃｏｎｔｒｏｌｌｅｒ  Ｕｎｉｔ）３４と、共通バス３０と、通信部３８と、ＵＳＢ（Ｕｎｉｖｅｒｓａｌ  Ｓｅｒｉａｌ  Ｂｕｓ）インターフェース（Ｉ／Ｆ）３９と、コンタクトターミナル４４と、電源部４５と、バッテリー４０と、を備える。
【００３８】
ウェアラブルカメラ２は、録画ボタンＢＴ１と、静止画撮影ボタンＢＴ２、再生ボタンＢＴ３、電源スイッチＳＷ５と、及び通信モードスイッチＳＷ３と、を備える。
【００３９】
ウェアラブルカメラ２は、３個のＬＥＤ（Ｌｉｇｈｔ  Ｅｍｉｔｔｉｎｇ  Ｄｉｏｄｅ２２，２３，２４と、バイブレータ４７と、を備える。
【００４０】
共通バス３０は、ウェアラブルカメラ２を構成する各構成要素に電気的に接続するデータ経路である。ウェアラブルカメラ２を構成する各構成要素はバス３０を通してＭＣＵ３０とデータの送受信を行う。また、ウェアラブルカメラ２を構成する各構成要素はバス３０を通してバッテリー４０、もしくは電源部４５を介して電源供給される。
【００４１】
撮像部１１は、撮像レンズ１１ｚ（図２参照）と、ＣＣＤ（Ｃｈａｒｇｅ  Ｃｏｕｐｌｅｄ  Ｄｅｖｉｃｅ）型イメージセンサ又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサ等による固体撮像素子と、を有する。撮像部１１は、撮像により得られた被写体の画像データをＭＣＵ３４に出力する。
【００４２】
ＧＰＩＯ３１は、汎用入出力インターフェースである。ＧＰＩＯ３１には、録画ボタンＢＴ１、静止画撮影ボタンＢＴ２、再生ボタンＢＴ３、電源スイッチＳＷ５、通信モードスイッチＳＷ３、ＬＥＤ２２〜２４、バイブレータ４７、が接続される。ＧＰＩＯ３１はこれらの電子部品とＭＣＵ３４のとの間で信号を入出力する。
【００４３】
ＳＰＩ３２は、双方向通信の通信バスである。ＳＰＩ３２には、ＬＣＤ４２、音声出力端子の一例としてのマイク４１が接続される。ＳＰＩ３２はこれらの電子部品とＭＣＵ３４との間で信号を入出力する。例えばマイク４１は、周囲の音声を収音し、収音された音声データを、ＳＰＩ３２を介してＭＣＵ３４に出力する。
【００４４】
Ｉ２Ｓ（Ｉｎｔｅｒ−ＩＣ  Ｓｏｕｎｄ）３３は、ステレオ音声をシリアル伝送する規格のインターフェースである。Ｉ２Ｓ３３はＭＣＵ３４からの信号を入力し、ＤＡＣ４６に音声信号を伝送する。ＤＡＣ（Ｄ／Ａ  Ｃｏｎｖｅｒｔｅｒ）４６は、デジタル信号をアナログ信号に変換する。ＤＡＣ４６で変換された信号はイヤホン端子５１に伝送される。
【００４５】
ＲＡＭ３５は、例えばＭＣＵ３４の動作において使用されるワークメモリである。ＲＯＭ３６は、例えばＭＣＵ３４を制御するためのプログラム及びデータを予め記憶する。
【００４６】
記憶部３７は、例えばメモリカード等の記憶媒体により構成され、自動又は手動の録画開始等の指示に従い、撮像部２１で撮像される映像の記録を開始する。例えば記憶部３７がメモリカードで構成される場合、ウェアラブルカメラ２の筐体２０に挿抜自在に装着される。
【００４７】
本発明の課題は、ウェアラブルカメラシステムのユーザーの警備区域である巡回エリアにおいて計画された頻度で録画情報を取得し、録画もれを生じにくくすることである。また、ウェアラブルカメラのメモリ容量とバッテリー容量を節約することである。時刻情報取得部４８は、現在の時刻情報をカウントしてＭＣＵ３４に出力する。
【００４８】
位置情報取得部の一例としてのＧＰＳ受信部４９は、現在のウェアラブルカメラ２（自装置）の位置情報及び時刻情報をＧＰＳ発信機（不図示）から受信し、ＭＣＵ３４に出力する。時刻情報は、ウェアラブルカメラ２のシステム時刻の補正のためにも使用される。システム時刻は、撮像された画像（静止画、動画を含む）の撮像時刻の記録等に利用される。
【００４９】
ＭＣＵ３４は、ウェアラブルカメラ２の制御部としての機能を有し、例えばウェアラブルカメラ２の各部の動作を制御する処理、共通バス３０を介してウェアラブルカメラ２の各部との間のデータの入出力処理、データの演算（計算）処理及びデータの記憶処理を行う。ＭＣＵ３４は、ＲＯＭ３６に記憶されたプログラム及びデータに従って動作する。ＭＣＵ３４は、動作時、ＲＡＭ３５を使用し、時刻取得部４８より現在の時刻情報を得るとともに、ＧＰＳ受信部４９から現在の位置情報を得る。
【００５０】
ＭＣＵ３４は、サーバー４から録画エリア不足情報が通知された場合、録画情報不足エリアをＬＣＤ４２にマップ表示する。また、ＭＣＵ３４は、バイブレータ４７を振動させ、ユーザーに録画エリア不足情報がウェアラブルカメラに通知されたことを知らせる。
【００５１】
送信部の一例としての通信部３８は、外部のデバイスと通信する。たとえば無線ＬＡＮアクセスポイント１０を介した無線ＬＡＮ（Ｗ−ＬＡＮ）による無線通信を行う。なお、通信部３８は、近距離無線通信（ＮＦＣ：Ｎｅａｒ  Ｆｉｅｌｄ  Ｃｏｍｍｕｎｉｃａｔｉｏｎ）、Ｂｌｕｅｔｏｏｔｈ（登録商標）等の無線通信を行ってもよい。
【００５２】
ＵＳＢインターフェース３９は、シリアルバスであり、警察署内のクライアントＰＣ６等との接続を可能とする。
【００５３】
コンタクトターミナル４４は、クレードル（不図示）又は外付けアダプタ（不図示）等と電気的に接続するための端子であり、ＵＳＢインターフェース３９を介してＭＣＵ３４に接続され、また、電源部４５と接続される。コンタクトターミナル４４は、コンタクトターミナル４４を介して、バッテリー４０を充電し、また、画像データ等を通信可能である。
【００５４】
コンタクトターミナル４４には、例えば充電端子、電圧検出端子、データ端子及びグランド端子（いずれも図示省略）が設けられる。電圧検出端子は、電圧及び電圧変化を検出するための端子である。データ端子は、例えばＵＳＢコネクタ端子を介して、外部ＰＣ等に対してウェアラブルカメラ２で撮像した画像等を転送するための端子である。
【００５５】
コンタクトターミナル４４と、クレードル（不図示）又は外付けアダプタ（不図示）のコネクタとが接続されることにより、ウェアラブルカメラ２と外部機器との間でデータ通信が可能となる。
【００５６】
電源部４５は、例えばコンタクトターミナル４４を介してクレードル又は外付けアダプタより供給される電源電力をバッテリー４０に給電して、バッテリー４０を充電する。バッテリー４０は、例えば充電可能な２次電池により構成され、ウェアラブルカメラ２の各部に電源電力を供給する。
【００５７】
電源スイッチＳＷ５は、例えばウェアラブルカメラ２の電源ＯＮ／ＯＦＦさせるスライドスイッチである。
【００５８】
録画ボタンＢＴ１は、例えば警察官８の押下操作による録画（つまり、撮像された動画の記録）の開始／停止の操作指示を入力する押しボタンである。録画ボタンＢＴ１は、例えば短押しされることで録画（つまり、撮像された動画の記録）が開始され、長押しされることで録画が終了する。
【００５９】
録画ＯＮ／ＯＦＦ情報取得部５０は、撮像部２１が録画状態か否かの情報を取得し、録画ＯＮ状態またはＯＦＦ状態かの情報をその時刻取得部４８によって取得された時刻、及びＧＰＳ受信部４９にとって取得された位置情報とともに記憶部に情報を記憶する。
【００６０】
静止画撮影ボタンＢＴ２は、例えば警察官３の押下操作による静止画の撮像の操作指示を入力する押しボタンスイッチである。静止画撮影ボタンＢＴ２は、例えば押下される度に、押下時の静止画の撮像が実行される。
【００６１】
通信モードスイッチＳＷ４は、例えばウェアラブルカメラ２と外部機器との間の通信モードを設定するための操作指示を入力するスライドスイッチである。通信モードは、例えばアクセスポイントモード、クライアントモード、ＯＦＦモードを含む。
【００６２】
アクセスポイントモードは、ウェアラブルカメラ２が無線ＬＡＮのアクセスポイントとして動作し、例えば警察官８が所持するスマートフォン９と無線接続して、ウェアラブルカメラ２とスマートフォン９との間で通信を行うモードである。アクセスポイントモードにおいて、スマートフォン９は、ウェアラブルカメラ２と接続することにより、ウェアラブルカメラ２による現在のライブ画像の表示、録画された画像の再生、撮像された静止画の表示等を行うことができる。
【００６３】
クライアントモードは、無線ＬＡＮを用いて外部機器と接続する場合に、外部機器をアクセスポイントとして通信するモードである。例えばスマートフォン９のテザリング機能を利用し、外部機器としてスマートフォン９を設定してもよい。クライアントモードにおいて、ウェアラブルカメラ２は、各種設定、ウェアラブルカメラ２が保持する録画された画像の転送（アップロード）等を、警察署３内のクライアントＰＣ６やサーバ４に対して行うことができる。
【００６４】
ＯＦＦモードは、無線ＬＡＮの通信動作をオフし、無線ＬＡＮを未使用とするモードである。
【００６５】
ＬＥＤ２２は、例えばウェアラブルカメラ２の電源投入状態（オンオフ状態）及びバッテリー４０の状態を示す表示部である。ＬＥＤ２３は、例えばウェアラブルカメラ２の撮像動作の状態（録画状態）を示す表示部である。ＬＥＤ２４は、例えばウェアラブルカメラ２の通信モードの状態を示す表示部である。
【００６６】
ＭＣＵ３４は、録画ボタンＢＴ１、静止画撮影ボタンＢＴ２、通信モードスイッチＳＷ４の各スイッチの入力検出を行い、操作があったスイッチ入力に対する処理を行う。
【００６７】
ＭＣＵ３４は、録画ボタンＢＴ１の操作入力を検出した場合、撮像部２１における撮像動作の開始又は停止を制御し、撮像部２１から得られた画像を、動画像として記憶部３７に保存する。
【００６８】
ＭＣＵ３４は、静止画撮影ボタンＢＴ２の操作入力を検出した場合、静止画撮影ボタンＢＴ２が操作されたときの撮像部２１による画像を、静止画像として記憶部３７に保存する。
【００６９】
ＭＣＵ３４は、通信モードスイッチＳＷ４の状態を検出し、通信モードスイッチＳＷ４
設定に応じた通信モードによって通信部３８を動作させる。
【００７０】
図５は、本実施形態のウェアラブルカメラシステム１の動作概要の一例を示す図である。
【００７１】
ウェアラブルカメラ２a、２ｂは、それぞれ、警察官８ａ、警察官８ｂに付帯され、警察官８aが携帯するスマートフォン９ａ、警察官８ｂが携帯するスマートフォン９ｂを仲介して４Ｇ通信により警察署３内のサーバー４に接続される。
【００７２】
警察官の巡回計画として警察官８ａはルートＳ−Ａ−Ｂ−Ｃ−Ｄ−Ａ−Ｓを巡回ルートとして計画されており、さらに巡回する時間帯が１３：００から２０：００の場合は録画頻度として１２０分に一回巡回してウェアラブルカメラ２による録画データを取得することが計画されている。
【００７３】
同様に警察官８ｂはルートＳ−Ｏ−Ｐ−Ｑ−Ｒ−Ｏ−Ｓを巡回ルートとして計画されており、さらに巡回する時間帯が１３：００から２０：００の場合は録画頻度として９０分に一回巡回してウェアラブルカメラ２による録画データを取得することが計画されている。
【００７４】
巡回ルート、時間帯、録画頻度は、例えば、小学校７０の近隣の巡回ルートにおいては通学時間帯を含む時間帯は録画頻度を高く設定する。
【００７５】
サーバー４には巡回ルートＳ−Ａ−Ｂ−Ｃ−Ｄ−Ａ−Ｓ、および巡回ルートＳ−Ｏ−Ｐ−Ｑ−Ｒ−Ｏ−Ｓに対応する巡回計画があらかじめ記憶されている。図６はサーバー４に記憶されている巡回計画の情報を示した図である。
【００７６】
巡回時間帯６１ごとに巡回ルート６２が設定され、巡回ルート６２ごとに基準録画頻度６３が設定されている。基準録画頻度６３は警察官８ａまたは警察官８ｂが装備するウェアラブルカメラ２a、およびウェアラブルカメラ２ｂの期待される録画頻度である。基準録画頻度６３は、例えば過去の事件・事故の情報や、児童の通学時間帯には高く設定されることで、巡回エリアについて管理された適切な頻度で録画データを残すことができる。
【００７７】
基準録画頻度は、最後の録画時間から次に録画されるまでの時間（最大録画間隔）として規定する。基準録画頻度は録画の頻度を表す指標であればよく、例えば、一定期間内の録画回数として規定してもよい。
【００７８】
警察官８a、８ｂが巡回を開始すると警察官８ａ、８ｂはウェアラブルカメラ２ａ，２ｂの電源スイッチＳＷ５をＯＮし、録画ボタンＢＴ１を操作して録画を開始する。
【００７９】
ウェアラブルカメラ２ａもしくは２ｂは電源スイッチがＯＮ状態になるとＧＰＳ受信部４９によりウェアラブルカメラ２自身の位置情報を取得され、また、時刻取得部４８により時刻が取得され、さらに録画ＯＮ／ＯＦＦ情報取得部５０により録画ＯＮ／ＯＦＦ情報を取得される。
【００８０】
位置情報はユーザーのＭＣＵ３４により処理され移動ルートとして記憶部３７に記憶される。
【００８１】
取得された移動ルート、時刻情報、録画ＯＮ／ＯＦＦ情報（まとめて録画位置情報）は時系列の情報として記憶部３７に記憶され、通信部３８により、スマートフォン９を介してサーバー４に送信される。
【００８２】
ここで、電波状況などにより、録画位置情報が送信できない場合は、録画位置情報は記憶部に蓄積され、通信可能となったときにまとめてサーバーに送信される。
【００８３】
サーバー４はウェアラブルカメラ２ａもしくは２ｂから送信された録画位置情報を、サーバー４に蓄積された基準録画頻度と照合する。たとえば、警察官８ａの巡回ルートＳ−Ａ−Ｂ−Ｃ−Ｄ−Ａ−Ｓにおける最新の録画時刻からの経過時間を、図６における「前回録画からの最大経過時間」６４とし、基準録画頻度（最大録画間隔）６３と比較する。
【００８４】
本実施例においては巡回ルートＳ−Ａ−Ｂ−Ｃ−Ｄ−Ａ−Ｓにおいては基準録画頻度の１２０ｍｉｎに対し、「前回録画からの最大経過時間」６４は１００ｍｉｎであり、現時点では録画頻度不足エリアは認められない。
【００８５】
一方、巡回ルートＳ−Ｏ−Ｐ−Ｑ−Ｒ−Ｏ−Ｓにおいては基準録画頻度（最大録画間隔）が９０ｍｉｎに対し「前回録画からの最大経過時間６４」は１１０ｍｉｎであり、録画頻度不足エリアが認められる。
【００８６】
サーバー４は、巡回ルートに録画不足エリアが認められる場合は、巡回ルート中の録画頻度が不足しているエリアを求め、巡回ルートにひもづける。たとえば、録画頻度不足エリアは、図６の録画頻度不足エリア６５のように巡回ルートとひもづけられる。
【００８７】
サーバー４は録画不足エリアが検出されると、録画頻度不足エリア６５の位置情報をウェアラブルカメラ２ａもしくは２ｂに通知し、ウェアラブルカメラ２ａもしくは２ｂは録画不足エリアが通知されるとバイブレータ４７を振動させ、警察官８a、８ｂに録画頻度不足エリアがあることを通知する。
【００８８】
例えば、録画頻度不足エリアＲ−Ｑ−Ｐ−Ｏの録画頻度が不足する原因が、警察官８ｂがＲ地点で不審者を発見し職務質問しているためだったとする。警察官８ｂは職務質問している間、残りの巡回エリアであるルートＲ−Ｑ−Ｐ−Ｏの巡回が進められないため、録画間隔が基準録画頻度６３を上回り、録画頻度不足エリアと判定されることとなる。
【００８９】
サーバー４は録画頻度不足エリアをウェアラブルカメラ８ａ、８ｂを含むあらかじめ指定された複数のウェアラブルカメラに通知する。
【００９０】
録画頻度不足エリアの通知をうけとった警察官８ａは、警察官８ａ自身が録画頻度不足エリアの巡回を担当することを判断した場合、スマートフォン９ａ、もしくは警察無線などで、録画頻度不足エリアＲ−Ｑ−Ｐ−Ｏの巡回を担当する旨を警察署３が管轄するエリアの警察官に共有する。そして警察官８ａの巡回担当エリアＳ−Ａ−Ｂ−Ｃ−Ｄ−Ａ−Ｓの巡回が終了したのち、録画エリア不足エリアのルートＲ−Ｑ−Ｐ−Ｏの巡回に向かう。
【００９１】
なお、巡回エリアが他の警察官とオーバーラップしている場合など、録画頻度が十分なエリアにおいては警察官８はウェアラブルカメラの電源スイッチＳＷ５をオフにして録画を停止することでメモリ容量とバッテリーを節約することができる。
【００９２】
本発明によれば、ユーザーの警備区域である見回りエリアにおいて計画された頻度で録画情報が取得されない場合は、録画頻度不足エリアがユーザーに通知され、ユーザーは録画不足エリアを録画することでユーザーは録画頻度不足エリアを解消することができる。その結果として重要なシーンに遭遇する機会を維持し、結果として録画もれを防ぐことができる。
【００９３】
さらに、録画頻度が十分なエリアにおいては録画をＯＦＦすることでメモリ容量とバッテリー容量を節約することができる。
【符号の説明】
【００９４】
１：ウェアラブルカメラシステム、
２，２ａ，２ｂ：ウェアラブルカメラ、
３：警察署、
４：サーバー、
５：集合充電台、
６：クライアントＰＣ、
７：署内システム、
８，８ａ,８ｂ：警察官、
９，９ａ，９ｂ：スマートフォン、
１０：無線ＬＡＮアクセスポイント、
２０：筐体、
２１：撮像部
２１z：撮像レンズ
２２、２３、２４：ＬＥＤ、
２５：ＬＣＤ、
ＢＴ１：録画ボタン、
ＢＴ２：静止画撮影ボタン、
ＢＴ３：再生ボタン、
ＳＷ４：通信モードスイッチ、
ＳＷ５：電源スイッチ、
３０：共通バス
３１：ＧＰＩＯ
３２：ＳＰＩ、
３３：Ｉ２Ｓ、
３４：ＭＣＵ、
３５：ＲＡＭ、
３６：ＲＯＭ、
３７：記憶部、
３８：通信部
３９：ＵＳＢ  Ｉ／Ｆ
４０：バッテリー
４１：マイク、
４２：ＬＣＤ、
４３：スピーカ、
４６：ＤＡＣ、
４７：バイブレータ、
４８：時刻取得部、
４９：ＧＰＳ受信部、
４４：コンタクトターミナル、
４５：電源部、
５０：録画ＯＮ／ＯＦＦ情報取得部、
５１：イヤホン端子、
６１：巡回時間帯
６２：巡回ルート
６３：基準録画頻度
６４：前回録画からの最大経過時間
６５：録画頻度不足エリア
７０：小学校
Ｓ：警察署のある地点
Ａ：巡回ルート上の地点
Ｂ：巡回ルート上の地点
Ｃ：巡回ルート上の地点
Ｄ：巡回ルート上の地点
Ｏ：巡回ルート上の地点
Ｐ：巡回ルート上の地点
Ｑ：巡回ルート上の地点
Ｒ：巡回ルート上の地点
【図１】
2019149606.tif 000003
【図２】
2019149606.tif 000004
【図３】
2019149606.tif 000005
【図４】
2019149606.tif 000006
【図５】
2019149606.tif 000007
【図６】
2019149606.tif 000008